(57)【要約】【課題】簡単な構造で、しかも機械的に強固で、荒っぽい破壊行為にも対抗することができる補助ロック装置を提供する。【解決手段】自動販売機本体１の側壁６に設けた固定カバー７と、自動販売機の扉２のハンドルロック部４、ロックスライダー３を上下に動かすスライダーレバー５を覆うように固定カバー７にヒンジ結合されると共に固定カバー７に対しヒンジ軸９方向にスライドし得る可動カバー８とを備え、可動カバー８と扉２との間に係合ピン１３と係合溝１４とからなる可動カバーストッパー１２を設け、係合ピン１３はその軸部分より径の大きい頭部１３２を有し、係合溝１４は係合ピンの頭部の径より大きい幅の部分１４２と係合ピンの頭部の径より小さいが係合ピンの軸部分よりは大きい幅の部分１４１とを有する。【選択図】  図１
2004164004.tif 000002
【特許請求の範囲】
【請求項１】
自動販売機本体の側壁に設けた固定カバーと、自動販売機の扉のハンドルロック部、ロックスライダーを上下に動かすスライダーレバーを覆うように固定カバーにヒンジ結合されると共に固定カバーに対しヒンジ軸方向にスライドし得る可動カバーとを備え、可動カバーと扉との間に係合ピンと係合溝とからなる可動カバーストッパーを設け、係合ピンはその軸部分より径の大きい頭部を有し、係合溝は係合ピンの頭部の径より大きい幅の部分と係合ピンの頭部の径より小さいが係合ピンの軸部分よりは大きい幅の部分とを有し、可動カバーをヒンジ軸の方向にスライドさせ係合ピンが係合溝の幅の小さい部分に入ることにより可動カバーが扉にロックされることを特徴とする自動販売機用補助ロック装置。
【請求項２】
自動販売機本体の側壁に設けた固定カバーと、自動販売機の扉のハンドルロック部、ロックスライダーを上下に動かすスライダーレバーを覆うように固定カバーにヒンジ結合されると共に固定カバーに対しヒンジ軸と直角方向にスライドし得る可動カバーとを備え、可動カバーと扉との間に係合ピンと係合溝とからなる可動カバーストッパーを設け、係合ピンはその軸部分より径の大きい頭部を有し、係合溝は係合ピンの頭部の径より大きい幅の部分と係合ピンの頭部の径より小さいが係合ピンの軸部分よりは大きい幅の部分とを有し、可動カバーをヒンジ軸に直角の方向にスライドさせ係合ピンが係合孔の幅の小さい部分に入ることにより可動カバーが扉にロックされることを特徴とする自動販売機用補助ロック装置。
【請求項３】
係合ピンを補助錠として設けられる２重錠の取付け用穴に設けたことを特徴とする請求項１又は２記載の自動販売機用補助ロック装置。
【請求項４】
可動カバーの係合ピンをハンドルロック部に対しヒンジ軸と反対側に設けることを特徴とする請求項１〜３のいずれか１つに記載の自動販売機用補助ロック装置。
【請求項５】
ヒンジ軸の下部に錠機構を設け、この錠機構のキー孔が下方を向いていることを特徴とする請求項１〜４のいずれか１つに記載の自動販売機用補助ロック装置。
【請求項６】
可動カバーのヒンジ軸と反対側をアール曲面に形成したことを特徴とする請求項１〜５のいずれか１つに記載の自動販売機用補助ロック装置。
【請求項７】
可動カバーと扉との間に自動販売機の電照部の下部を横方向に延びる保護板を挿入し、保護板はプラスチックと鋼板との積層体からなることを特徴とする請求項１〜６のいずれか１つに記載の自動販売機用補助ロック装置。
【発明の詳細な説明】
【０００１】
【発明の属する技術分野】
本発明は、自動販売機の扉に設けたロック機構を破壊行為から防護するための補助ロック装置に関する。
【０００２】
【従来の技術】
自動販売機は、一般に商品を収納する本体の一方の前部側縁にヒンジ結合された扉を備え、扉はヒンジ結合された側と反対側において縦方向に延びる扉ロック用のスライダーを有し、このスライダーはスライダーレバーを介してハンドルと連結し、ハンドルを操作することによりスライダーを上下させ、スライダーの上部、中部、下部に設けた係合穴に本体の引掛け具が掛けられることにより扉は閉まった状態を保持し、係合穴から引掛け具を外すことにより扉は開放可能になるようになっている。そしてハンドルに錠機構を内蔵させ、キーを使用して錠機構を施錠又は解錠し得るものである。従って自動販売機の扉前面にはハンドルロック部が露出している。この露出したハンドルロック部を狙い、ピッキングによる不正解錠、バールによる錠やスライダーレバーの破壊等によって扉をこじ開け、自動販売機内の現金を奪取するという犯罪行為が近年多発している。
【０００３】
上述のような特にハンドルロック部を狙った犯罪行為を未然に防止する対策は種々提案されている。その一つは、自動販売機の扉の表部の左右方向全長に亘る範囲において且つ上下方向に操作部を覆う幅を有するベース鉄板を設け、このベース鉄板の上に操作部のみを覆う補強鉄板を取り付け、更にこの補強鉄板の上にハンドル及びハンドル錠を覆うカバーを設けたものであり、そのカバーは一方の側縁で補強鉄板にヒンジ結合され、他縁は自動販売機本体の側壁に設けたカバー錠にロックピンにより施錠されるようになっている（特許文献１参照。）。
【０００４】
【特許文献１】
特開２００２−２３０６３３号公報（第３〜４頁、図４、図６）
【０００５】
【発明が解決しようとする課題】
上述の防護装置においては、ベース鉄板、補強鉄板及びカバーという３重構造を使用しているが、そのハンドル及びハンドル錠を覆うカバーには板材が使用され、そのロックは１点のみであり、更にカバー錠が剥き出しのためバールが入り易く耐える強度が小さいという欠点があり、種々の破壊行為に対して十分対抗し得るものではない。
【０００６】
本発明の課題は、従来のハンドルロック部の防護装置の複雑な構造を必要とせず、既存の自動販売機に対してもごく僅かの改造で取り付けることができ、しかも機械的に強固で、荒っぽい破壊行為にも対抗し得る補助ロック装置を提供することにある。
【０００７】
【課題を解決するための手段】
上述の課題を解決するため、本発明においては、自動販売機本体の側壁に設けた固定カバーと、自動販売機の扉のハンドルロック部、ロックスライダーを上下に動かすスライダーレバーを覆うように固定カバーにヒンジ結合されると共に固定カバーに対しヒンジ軸方向又はヒンジ軸に対し直角方向にスライドし得る可動カバーとを備え、可動カバーと扉との間に係合ピンと係合溝とからなる可動カバーストッパーを設け、係合ピンはその軸部分より径の大きい頭部を有し、係合溝は係合ピンの頭部の径より大きい幅の部分と係合ピンの頭部の径より小さいが係合ピンの軸部分よりは大きい幅の部分とを有し、可動カバーをヒンジ軸の方向又はヒンジ軸に直角の方向にスライドさせ係合ピンが係合溝の幅の小さい部分に入ることにより可動カバーが扉にロックされる。
【０００８】
係合ピンを補助錠として設けられる２重錠の取付け用穴を利用して設けるのが有利である。
【０００９】
可動カバーの係合ピンはハンドルロック部に対しヒンジ軸と反対側に設けられるようにするのが有利である。
【００１０】
固定カバーと可動カバーとをヒンジ結合するヒンジ軸の下部に錠機構を設け、この錠機構のキー孔が下方を向くようにするのが好ましい。
【００１１】
可動カバーのヒンジ軸と反対側をアール曲面に形成し、可動カバーの端部にバール等の破壊道具を掛け難いようにするのが好ましい。
【００１２】
更に、可動カバーと扉との間に自動販売機の電照部の下部を横方向に延びる保護板を挿入し、保護板をプラスチックと鋼板との積層体から構成すると、防護機能を高めることができる。
【００１３】
【発明の実施の形態】
次に本発明の実施の形態を図面に示す実施例について説明する。
【００１４】
図１において、ａは正面図、ｂは一部切欠き平面図、ｃは側面図である。１は自動販売機本体で、その内部には販売すべき商品が収納されている。２は本体１の前面を覆う扉で、その一方の側縁で本体にヒンジ結合され、矢印で示すように開閉可能になっている（図の例では右開き）。扉２にはヒンジ結合された側と反対側の側縁近傍に、縦方向に上下に延びるロックスライダー３を備え、このロックスライダー３はその上部、中部、下部に設けた係合穴に本体１の引掛け具が掛けられることにより扉２を本体１にロックするようになっている。４はハンドルロック部で錠機構を内蔵し、施錠状態では扉２内に埋め込まれたような状態にあり操作不能であるが、キーを使用して解錠することによりハンドルが扉前方へ飛び出し、ハンドルを操作可能な状態にすることができる。このハンドルはスライダーレバー５を介してロックスライダー３と連結され、ハンドルを操作することによりロックスライダー３と本体１との間のロック又はロック解除を行うことができる。以上の構成は従来の自動販売機に使用されているものと特に変るところはない。
【００１５】
本体１の扉２に対するヒンジが設けられた側と反対側の側壁６には、固定カバー７が設けられ、この固定カバー７の前縁には可動カバー８がヒンジ軸９によりヒンジ結合され、且つ可動カバー８はヒンジ軸９に沿い軸方向に若干距離スライドし得るように形成されている。即ち固定カバー７と可動カバー８との各ヒンジ部間には軸方向の隙間１０が存在し、この隙間の軸方向の距離ｚだけ可動カバー８は動くことができる。この可動カバー８は扉２の前面において少なくともハンドルロック部４、スライダーレバー５及びロックスライダー３の一部を覆うだけの大きさを持ち、その左側の縁１１は直線状よりむしろアール曲面、即ち湾曲した形状、例えば楕円状、双曲線状の形状を有し、この縁１１にバールのような破壊工具を掛け難いような形状にするのが好ましい。また使用する材料も、板金などよりは、むくの鉄材から切り出した材料で例えば３０ｍｍ厚程度に形成するのが強度上好ましい。
【００１６】
可動カバー８と扉２との間には可動カバーストッパー１２が設けられており、この可動カバーストッパー１２は扉２側に取り付けた係合ピン１３、可動カバー８側に取り付けた係合溝１４で形成されている。係合ピン１３はその軸部分１３１より径の大きい頭部１３２を有し、係合溝１４は、上部にあって係合ピン１３の軸部分１３１の径よりやや大きいが係合ピン１３の頭部１３２の径より小さい幅の部分１４１と、下部にあって係合ピン１３の頭部１２２の径より大きい幅の部分１４２とを有する、所謂だるま穴状の形状を持っている。従って可動カバー８がヒンジ軸９方向上向きにスライドした場合に、係合ピン１３が係合溝１４の幅の大きい部分１４２にあるときは可動カバー８は扉２にロックされていない状態にあり、係合ピン１３が係合溝１４の幅の小さい部分１４１にあるときは可動カバー８は扉２にロックされた状態となる。なお、ヒンジ軸９の下端には錠機構９１が組み込まれ、そのキー穴にキー９２を差し込んで施錠又は解錠されるようになっている。係合ピン１３は任意の位置に設けることができるが、自動販売機においてはハンドルロック部の錠の他に安全のため更に二重錠を設けられるようになっているのが通常であり、予めそのための孔を設け、２重錠を設けない場合にはカバーをしてあるので、その孔を利用して係合ピンをそこに取り付けることができる。この孔を利用し、特に係合ピンを取り付けるための孔はあけないことによって、防盗手段を講じる必要のないロケーションに自動販売機を移動した際、本発明の補助ロック装置を取り外すと、係合ピンを取り付けるために特にあけた孔が目立つといった事態を避けることができる。
【００１７】
図２は図１に示す補助ロック装置を備えた自動販売機の正面図を示す。２０１は自動販売機本体、２０２は左端を本体にヒンジ結合された扉、２０３は上部電照部で、商品見本２０４、商品選択釦２０５が配置されている。２０６はコイン投入口、２０７は返金レバー、２０８は紙幣投入口、２０９は表示部、２１０は下部電照部、２１１は釣銭返却口、２１２は商品取出口である。コイン投入口２０６の近傍に本発明による可動カバー２１３が設けられ、この可動カバー２１３は本体の右側の側壁に取付けられた固定カバーにヒンジ結合２１４されている。この可動カバー２１３は扉２０２の内部右側に縦方向に設けられたロックスライダーのハンドルロック部、スライダーレバー（図１のロックスライダーのハンドルロック部４、スライダーレバー５に相当する部分）を覆うようになっている。
【００１８】
次に本発明装置の動作について説明する。
【００１９】
自動販売機の扉２が閉められ、ハンドルロック部４のハンドルを回してスライダーレバー５を介してロックスライダー３を上下に動かし、本体の係合部に差し込み、ハンドルロック部４をキーで施錠することにより自動販売機の扉２はロックされた状態に保持され、キーをハンドルロック部４に差し込まない限り、扉２を開けることはできない。次に可動カバー８を扉２の表面まで回転させ、可動カバー８をヒンジ軸９に沿い上方ヘスライドさせ、係合溝１４の下部の幅に広い部分１４２から係合ピン１３の頭部１３２を係合溝１４に差し込み、次いで可動カバー８をヒンジ軸９に沿い下方へスライドさせると、係合溝１４の狭い幅の部分１４１が係合ピン１３の軸の部分１３１に移動し、係合ピン１３はその頭部１３２によって可動カバー８の係合溝１４から抜け出ることができなくなる。この状態でヒンジ軸９の錠機構９１にキー９２を差し込んで施錠することによって、可動カバー８は扉２上にロックされ、錠機構９１を解錠しない限り可動カバー８は開くことができない。この錠機構９１はキー孔が下方を向いているため、破壊作用は極めて困難で、実際上攻撃の対象になることはない。扉２を開ける場合には逆の操作をすればよい。即ち、ヒンジ軸９の錠機構９１にキーを差し込み解錠すると、可動カバー８はスライド可能になるから、可動カバー８をヒンジ軸９に沿い上方へスライドさせると、係合溝１４の幅の広い部分１４２が係合ピン１３の頭部１３２の位置に来るから、係合ピン１３と係合溝１４との間の係合が外れ、可動カバー８をヒンジ軸９の周りに回転させることができる。その上でハンドルロック部４にキーを挿入して回すことによりハンドルが扉表面より飛び出すから、ハンドルを回すことによりスライダーレバー５を介してロックスライダー３は自動販売機本体１の係合部より解放され、扉２を開くことができる。
【００２０】
可動カバー８の下部に設けられる錠機構については種々の構造が可能である。図３は図１の錠機構９１の構造の一例を側面から見た説明図を示すもので、可動カバー９の下部に固定カバー７に近接して設けられた錠機構９１は、その先端部に係合片９３を備え、下方からキー９２を差し込み回すことによって係合片９３が回転し、固定カバー７に設けた窪み９４内に入り込み、可動カバー９は上下方向の動きを拘束される。キー９２を差し込み逆方向に回すことにより、係合片９３も回転し、固定カバー７の窪み９４から抜け出し、可動カバー９は上下方向に動き得る。
【００２１】
図４は本発明の異なる実施例の、ａは正面図、ｂは平面図、ｃは側断面図であり、図１の実施例と同等部分には同符号を付してある。この実施例の図１の実施例と異なる点は係合溝が横向きに設けられ、可動カバーが横方向にスライドされる点である。即ち、可動カバー８は固定カバー７とヒンジ軸９によりヒンジ結合されているが、可動カバー８のヒンジ孔８１が長円形をなし、固定カバー７に対し左右の方向にスライド可能になっている。一方係合溝１４は横向きに形成され、左側に係合ピン１３の軸部分１３１の径よりは大きいが頭部１３２の径よりは小さい幅の狭い部分１４１、右側に係合ピン１３の頭部１３２の径より幅の大きい部分１４２が位置している。可動カバー８を扉２の表面まで持ち来し、係合ピン１３の頭部１３２を係合溝１４の幅の大きい部分１４２から溝内に差し込み、次いで可動カバー８を右方向へスライドさせ、係合溝１４の幅の小さい部分１４１に係合ピン１３を位置せしめると、係合ピン１３と係合溝１４は係合され、ヒンジ軸９の下端に設けた錠機構９１を施錠することにより可動カバー８は扉２にロックされる。
【００２２】
図５は図４の錠機構９１の構造の一例を上面から見た説明図を示すもので、可動カバー８のキー中心と同心の軸９５が上方に延び、この軸の上下にそれぞれヒンジ軸９に掛けるためのフック９６が矢印で示すように回転可能に取り付けられ（図ではその上部のみを示す）、フックの先端の外側には傾斜部９７が設けられ、また各フック９６は時計回り方向の力が作用するバネにより、フックがヒンジ軸９に掛けられた状態ではヒンジ軸９へ押し付けられるようになっている。可動カバー８を開ける際は下方から差し込まれたキー９１を回しフック９６をバネに抗して反時計回りに回すと、フック９６はヒンジ軸９から外れ、可動カバー８は左右に移動させることができる。可動カバー８を閉める際には可動カバー８を右方向へ移動させるが、傾斜部９７がヒンジ軸９に当るとフック９６は反時計回りにヒンジ軸９から押され離れるが、傾斜部９７がヒンジ軸９を乗り越えるとバネの力でヒンジ軸９に引掛かり、自動的にロックがかかる。後はキー９２を抜くだけでロックは完成する。
【００２３】
上述のいずれの例でも係合ピンは扉側に、係合溝は可動カバー側に設けたが、係合ピンを可動カバー側に、係合溝を扉側に設けることも可能である。しかしながら前述のように予め設けられている二重錠用の孔を利用して係合ピンをそこに設けるほうが実際の製作上有利であり、本発明の補助ロック装置を使用することにより２重錠を使用する必要性もない。なお、左開き式の扉の場合には扉と自動販売機本体とのヒンジ部と反対側、即ち左側に固定カバーと可動カバーを設けることになる。
【００２４】
図６は可動カバーと扉との間に更に保護板を挿入した実施例の正面図を示し、図２と同等部分には同符号を付してある。３１は保護板で、扉２０２の外側上に例えばビス止めにより固定され、コイン投入口２０６、紙幣投入口２０８、返金レバー２０７、下部電照部２１０を除いて自動販売機前面の上部電照部２０３の下方を横方向に覆うようになっている。この保護板３１の上に可動カバー、可動カバーロクプレート及び固定カバーからなる補助ロック装置３２を設ける。保護板はプラスチックと鋼板との積層体から構成するのが有利である。プラスチックとして例えばジシクロペンタジエンを原料とする成形が容易で高強度が得られる石油樹脂系素材（例えば日本ゼオン社製の商品名「ペンタム」）、鋼板としてステンレスを使用すると、成形が容易で、プラスチック板に装飾性を持たせることができ、また保護板全体として粘りが得られ、防盗性も高まる。
【００２５】
【発明の効果】
本発明によれば、ハンドルロック部、スライダーレバー及びロックスライダーの一部を本体の側壁及び扉の両者を利用した両持ち型の構造で覆うものであるから、強度が極めて大きく、種々の攻撃手段に対抗することができる。即ち、ハンドルロックを正面から攻撃する、ハンドルロック回りをドリルで穴あけする、扉と本体との間の隙間からバールを差し込む、ハンドルロックの側方を金切バサミで切り裂く、スライダーレバーを直接攻撃する等の手段に対抗でき、更に可動カバーの固定カバーと反対側の縁をアール曲面とすることにより、この部分よりバールを差し込んだとしてもアール曲面部がバールの力点となるため力を入れると滑ってしまい破壊目的を達しない。しかも補助ロック装置の構造を見ただけで犯意を消沈させ得るものであり、また簡単な構造であるから既存の自動販売機に対しても適用は容易であり、特に通常設けられている２重錠取付け部を利用して係合ピンを取り付けることにより、自動販売機の顔ともいうべき扉に後加工を施す必要がなく、補助ロック装置が不要になった場合も補助ロック装置を取り外すだけで元通りとなる。
【図面の簡単な説明】
【図１】本発明の実施例の、ａは正面図、ｂは一部切欠き平面図、ｃは側面図である。
【図２】本発明の補助ロック装置を備えた自動販売機の正面図である。
【図３】本発明の図１の可動カバーと固定カバーとの間に設けられる錠機構の一例の説明図である。
【図４】本発明の異なる実施例の、ａは正面図、ｂは一部切欠き平面図、ｃは側面図である。
【図５】本発明の図４の可動カバーと固定カバーとの間に設けられる錠機構の一例の説明図である。
【図６】保護板を使用した本発明の異なる実施例の正面図である。
【符号の説明】
１  自動販売機本体
２  扉
３  ロックスライダー
４  ハンドルロック部
５  スライダーレバー
６  側壁
７  固定カバー
８  可動カバー
８１  ヒンジ穴
９  ヒンジ軸
９１  錠機構
９２  キー
１０  ヒンジ部隙間
１１  可動カバーの縁
１２  可動カバーストッパー
１３  係合ピン
１３１  係合ピンの軸部分
１３２  係合ピンの頭部
１４  係合溝
１４１  係合溝の幅の小さい部分
１４２  係合溝の幅に大きい部分
２０１  自動販売機本体
２０２  扉
２０３  上部電照部
２０４  商品見本
２０５  選択釦
２０６  コイン投入口
２０７  返却レバー
２０８  紙幣投入口
２０９  表示部
２１０  下部電照部
２１１  返却口
２１２  商品取出口
３１  保護板
３２  補助ロック装置
【図１】
2004164004.tif 000003
【図２】
2004164004.tif 000004
【図３】
2004164004.tif 000005
【図４】
2004164004.tif 000006
【図５】
2004164004.tif 000007
【図６】
2004164004.tif 000008